(57)【特許請求の範囲】
【請求項１】
建物に設けられた軒天井板の上側に配管される上流側の竪樋と前記軒天井板の下側に配管される下流側の樋とを前記軒天井板に設けられた穴を介して接続する樋接続部材であって、
前記上流側の竪樋に接続されて前記穴を貫通する樋接続上部材と、前記下流側の樋に接続される樋接続下部材と、該樋接続下部材と前記樋接続上部材とを前記軒天井板を介して
連結する連結部材とを有し、
前記樋接続上部材は、上部に前記上流側の竪樋の下端部分が接続される筒状接続部と、該筒状接続部の下部に雄ネジ部が設けられたネジ付き円筒部とによって構成され、
前記連結部材は、前記ネジ付き円筒部に螺合される雌ねじ部が設けられたネジ付き外筒部と、該ネジ付き外筒部に一体形成された環状拡径フランジ部と、該環状拡径フランジ部の外周縁に一体形成された環状握持部とによって構成され、
前記上側接続部材と前記連結部材とは前記軒天井板に螺合によって締結され、
前記樋接続下部材は、前記連結部材に装着されて回動可能に支承され、前記ネジ付き外筒部を包囲する包囲壁と、該包囲壁の上部に一体形成されて前記環状拡径フランジ部に対向する対向環状フランジ部と、前記包囲壁の下部に一体形成されて前記下流側の樋を接続する接続部とによって構成され、
前記環状拡径フランジ部と前記対向環状フランジ部との間に環状の止水用シール部材が設けられることを特徴とする樋接続部材。
【請求項２】
前記接続部と前記下流側の樋とを接続する継手が設けられ、該継手と前記接続部とが接続される際にシール性を有する接着剤によって接着されることを特徴とする請求項１記載の樋接続部材。
【請求項３】
請求項２の樋接続部材において、前記環状握持部を握持して回転させることによって、前記連結部材を前記樋接続上部材に対して回転させて、前記樋接続上部材と前記連結部材との着脱を行うことで、前記連結部材及び前記樋接続下部材と共に前記継手を着脱することを特徴とする樋接続部材の着脱方法。
【発明の詳細な説明】
【技術分野】
【０００１】
本発明は、建物の樋の接続に用いられる樋接続部材に関するものである。
【背景技術】
【０００２】
従来から、図１に示すような樋接続部材が知られている。１は建物の外壁であり、２はベランダである。
【０００３】
ベランダ２は二重スラブ構造の床３とベランダの外壁４とを有し、床３は上スラブ３ａと下スラブ３ｂとによって構成されている。
【０００４】
上スラブ３ａには排水溝５が設けられ、排水溝５には排水穴６が設けられている。更に、排水穴６には接続部材７を介して鉛直下方に排水管８が接続されている。
【０００５】
下スラブ３ｂには排水穴６の真下に穴９が設けられ、この穴９に樋接続部材１０が取り付けられてる。
【０００６】
樋接続部材１０の上部には排水管８の下端部分が挿入され、接着剤によって接着されている。
【０００７】
樋接続部材１０の下部にはエルボ継手１１が嵌合接続され、エルボ継手１１には呼び樋１２が接続されている。更に、呼び樋１２にはエルボ継手１３を介して竪樋１４が接続されている。
【０００８】
図２に示すように、樋接続部材１０は、ネジ付きソケット１５と、連結部材１６と、回転接続部材１７とによって構成されている。
【０００９】
ネジ付きソケット１５は穴９に上側から貫挿され、連結部材１６はネジ付きソケット１５の下部に下側から螺合され、連結部材１６の下部には回転接続部材１７が装着される。
【００１０】
図３に示すように、ネジ付きソケット１５は、上部に排水管８が接続される筒状接続部１５ａと、下部に筒状接続部１５ａより小径のネジ付き円筒部１５ｂとを有して一体形成され、このネジ付き円筒部１５ｂの外周には雄ネジが設けられている。
【００１１】
連結部材１６は、下部にネジ付き外筒部１６ａと、上部に環状拡径フランジ部１６ｂとを有して一体形成されている。
【００１２】
ネジ付き外筒部１６ａの内周にはネジ付き円筒部１５ｂの雄ネジに螺合される雌ネジが設けられ、ネジ付き外筒部１６ａの外周には環状突起部１６ｃ，１６ｄが突設形成されている。
【００１３】
ネジ付きソケット１５は筒状接続部１５ａとネジ付き円筒部１５ｂとの間に段差部１５ｃを有していて、ネジ付きソケット１５に連結部材１６が螺合されると、段差部１５ｃと環状拡径フランジ部１６ｂとの間に下スラブ３ｂが上下両側から狭持される。
【００１４】
回転接続部材１７は、上部に包囲壁１７ａと、下部に接続部１７ｂとを有して一体形成されている。
【００１５】
包囲壁１７ａはネジ付き外筒部１６ａの周囲を包囲するように形成され、接続部１７ｂにはエルボ継手１１が接続される。
【００１６】
包囲壁１７ａの内周面には係合爪部１７ｃが設けられ、連結部材１６に回転接続部材１７を装着した際に、係合爪部１７ｃが環状突起部１６ｃの上側に係合して係止される。
【００１７】
このため、回転接続部材１７は連結部材１６に対して回動可能に支承される。
【００１８】
接続部１７ｂの外周側には、包囲壁１７ａの下端部分との間に一定幅の環状溝部１８が形成されている。
【００１９】
図２に示すように、包囲壁１７ａの環状溝部１８を囲う部分には、係合穴１９ａが設けられ，包囲壁１７ａの外周の対向位置にも係合穴１９ａが設けられている。
【００２０】
そして、エルボ継手１１の接続側端部の外周には、包囲壁１７ａの係合穴１９ａ，１９ａに対応する位置に、それぞれ係合爪１９ｂ，１９ｂが設けられている。
【００２１】
接続部１７ｂの外周にエルボ継手１１の接続側端部を挿入して嵌合すると、係合爪１９ｂ，１９ｂが各々係合穴１９ａ，１９ａに係合して、回転接続部材１７とエルボ継手１１とが接続される。
【００２２】
このように構成された樋接続部材１０では、図１に示すように呼び樋１２を竪樋１４に接続する際に、呼び樋１２の配管方向に合わせて回転接続部材１７を回転させて、回転接続部材１７の向きを所望の向きに調整することが可能であり、呼び樋１２の位置決めを容易に行うことができる。
【００２３】
この他の従来例としては、防水パッキンと緩み防止部材とによって漏水を防止する特許文献１の軒樋用ドレンや、防緩筒対によってネジの緩みを防止すると共に雄ネジ部と雌ネジ部との隙間からの漏水を防止する特許文献２の軒樋用ドレンが知られている。
【特許文献１】特開平７−３１７２４３号公報
【特許文献２】特開平７−３３１８２０号公報
【発明の開示】
【発明が解決しようとする課題】
【００２４】
ところで、建物の屋根に降った雨水を排水する際に、雨水を一旦、屋根からベランダに落とし、ベランダに設けられた排水溝に集めて、排水溝に設けられた排水口から排水する方法が採られることがある。
【００２５】
このような排水方法では、屋根に降った雨水に、ベランダ自体に直接降り込む雨水が加わり、屋根に設けられた軒樋で集水して排水する一般的な排水方法に比べて、雨水の排水量が増大する。
【００２６】
このような排水方法が採用された建物のベランダに、従来例の樋接続部材１０を図１に示すような配管の構成で用いると、雨量が多い際に排水しきれない雨水が呼び樋に停留し、図３に示すように、停留した雨水が接続部１７ｂの上端縁に達すると、エルボ継手１１と接続部１７ｂとの隙間から雨水（Ｗ１）が漏水してしまう虞があった。
【００２７】
そこで、このような漏水を防ぐために、シール性を有する接着剤によってエルボ継手１１と接続部１７ｂとを接着すると、例えば、エルボ継手１１に詰まったゴミなどを取り除く等のメンテナンスの際に、エルボ継手１１が容易には取り外しできなくなるという問題があった。
【００２８】
また、樋接続部材１０では、連結部材１６に対して回転接続部材１７が回動可能になるように構成されているので、連結部材１６と回転接続部材１７との間に隙間があるため、停留した雨水が回転接続部材１７の内部を満たすと、包囲壁１７ａの上端縁と環状拡径フランジ部１６ｂとの隙間から雨水（Ｗ２）が漏水してしまう虞があった。
【００２９】
そこで、樋接続部材１０の水密性を保つために連結部材１６と回転接続部材１７との隙間を小さくすると、部材同士の接触摩擦によって、連結部材１６に対して回転接続部材１７がスムーズに回動しなくなる虞があった。
【００３０】
本発明では、水密性を保つと共に接続される樋の向きをスムーズに回動できる樋接続部材、及び、メンテナンスの際に容易に樋接続部材が着脱できる樋接続部材の着脱方法を提供することを課題としている。
【課題を解決するための手段】
【００３１】
上記目的を達成するために請求項１に記載された発明は、建物に設けられた軒天井板の上側に配管される上流側の竪樋と前記軒天井板の下側に配管される下流側の樋とを前記軒天井板に設けられた穴を介して接続する樋接続部材であって、
前記上流側の竪樋に接続されて前記穴を貫通する樋接続上部材と、前記下流側の樋に接続される樋接続下部材と、該樋接続下部材と前記樋接続上部材とを前記軒天井板を介して
連結する連結部材とを有し、
前記樋接続上部材は、上部に前記上流側の竪樋の下端部分が接続される筒状接続部と、該筒状接続部の下部に雄ネジ部が設けられたネジ付き円筒部とによって構成され、
前記連結部材は、前記ネジ付き円筒部に螺合される雌ねじ部が設けられたネジ付き外筒部と、該ネジ付き外筒部に一体形成された環状拡径フランジ部と、該環状拡径フランジ部の外周縁に一体形成された環状握持部とによって構成され、
前記上側接続部材と前記連結部材とは前記軒天井板に螺合によって締結され、
前記樋接続下部材は、前記連結部材に装着されて回動可能に支承され、前記ネジ付き外筒部を包囲する包囲壁と、該包囲壁の上部に一体形成されて前記環状拡径フランジ部に対向する対向環状フランジ部と、前記包囲壁の下部に一体形成されて前記下流側の樋を接続する接続部とによって構成され、
前記環状拡径フランジ部と前記対向環状フランジ部との間に環状の止水用シール部材が設けられる樋接続部材を特徴としている。
【００３２】
そして、請求項２に記載された発明は、前記接続部と前記下流側の樋とを接続する継手が設けられ、該継手と前記接続部とが接続される際にシール性を有する接着剤によって接着される請求項１記載の樋接続部材を特徴としている。
【００３３】
また、請求項３に記載された発明は、請求項２の樋接続部材において、前記環状握持部を握持して回転させることによって、前記連結部材を前記樋接続上部材に対して回転させて、前記樋接続上部材と前記連結部材との着脱を行うことで、前記連結部材及び前記樋接続下部材と共に前記継手を着脱する樋接続部材の着脱方法を特徴としている。
【発明の効果】
【００３４】
請求項１に記載の発明によれば、環状拡径フランジ部と対向環状フランジ部との隙間に止水用シール部材が設けられているので、排水される雨水の量が所定量より多い際に、環状拡径フランジ部と対向環状フランジ部との隙間から雨水が漏水するのを防ぐことができる。
【００３５】
そして、環状握持部を有しているので、樋接続上部材に連結部材を螺合によって着脱する際に、連結部材を回転させ易く、施工性がよい。
【００３６】
更に、樋接続部材の装着時には、筒状接続部と環状拡径フランジ部（または環状握持部）との間に軒天井板を挟持して強力に挟着できるので、樋接続部材が軒天井板に安定に装着される。
【００３７】
また、請求項２に記載の発明によれば、継手と接続部とを接続する際にシール性を有する接着剤によって接着するので、排水される雨水の量が所定量より多い際に、継手と接続部との隙間から雨水が漏水するのを防ぐことができる。
【００３８】
更に、請求項３に記載の発明によれば、請求項２における樋接続部材では、環状握持部を握持して回転させることによって、連結部材を樋接続上部材に対して回転させて、樋接続上部材と連結部材との着脱を行うことで、連結部材及び樋接続下部材と共に継手を着脱することができる。
【００３９】
このため、例えば、継手としてエルボ継手を用いた場合に、エルボ継手に詰まったゴミを掃除するなどのメンテナンスの際に、連結部材及び樋接続下部材と共にエルボ継手を容易に着脱することができる。
【発明を実施するための最良の形態】
【００４０】
以下、本発明の実施例を図面に基づいて説明する。
【実施例】
【００４１】
本発明の樋接続部材、及び、樋接続部材の着脱方法について、従来例と同一乃至均等な部分については同一符号を付して説明する。
〈構成〉
図４は本実施例の樋接続部材２０が設置された状態を表すベランダ躯体の縦断側面図であり、図４において、１は建物の外壁であり、２はベランダである。
【００４２】
ベランダ２は二重スラブ構造の床３とベランダの外壁４とを有し、床３は上スラブ３ａと下スラブ３ｂとによって構成されている。
【００４３】
上スラブ３ａには排水溝５が設けられ、排水溝５には排水穴６が設けられている。更に、排水穴６には接続部材７を介して鉛直下方に排水管８が接続されている。
【００４４】
下スラブ３ｂには排水穴６の真下に穴９が設けられ、穴９には樋接続部材２０が取り付けられてる。
【００４５】
樋接続部材２０の上部には排水管８の下端部分が接続され、下部にはエルボ継手１１が接続されている。
【００４６】
更に、エルボ継手１１には呼び樋１２が接続され、呼び樋１２にはエルボ継手１３を介して竪樋１４が接続されている。
【００４７】
図５は樋接続部材２０の分解斜視図である。
【００４８】
また、図６は図５のＡ−Ａ断面の断面図であり、図７は樋接続部材２０の接続状態の縦断面図であって、樋接続部材２０については、図５のＢ−Ｂ断面と同一面の断面図である。
【００４９】
図５に示すように、樋接続部材２０は、ネジ付きソケット２１と、連結部材２２と、回転接続部材２４とによって構成されている。
【００５０】
図７に示すように、ネジ付きソケット２１は穴９に上側から貫挿され、連結部材２２はネジ付きソケット２１の下部に下側から螺合され、連結部材２２の下部には回転接続部材２４が装着される。
【００５１】
そして、ネジ付きソケット２１と連結部材２２とによって、下スラブ３ｂを上下両側から挟持することで、樋接続部材２０は下スラブ３ｂに固定される。
【００５２】
また、図５に示すように、連結部材２２と回転接続部材２４との間には、雨水の漏水を防止する止水リング部材２３ａが装着される。
【００５３】
ネジ付きソケット２１は、上部に筒状接続部２１ａと、下部にネジ付き円筒部２１ｂとを有して一体形成されている。
【００５４】
筒状接続部２１ａには、上側から排水管８の下端部分が挿入され、接着剤によって接着されている。
【００５５】
ネジ付き円筒部２１ｂは筒状接続部２１ａより小径であり、筒状接続部２１ａとネジ付き円筒部２１ｂとの間には段差部２１ｃが形成されている。
【００５６】
また、ネジ付き円筒部２１ｂの外周には雄ネジ部２１ｄが設けられている。
【００５７】
連結部材２２は、下部にネジ付き外筒部２２ａと、上部に環状拡径フランジ部２２ｂとを有して一体形成されている。
【００５８】
そして、環状拡径フランジ部２２ｂの外周縁から鉛直方向上向きに伸びる握持リング部２２ｃが一体に設けられている。
【００５９】
この握持リング部２２ｃの外周には、連結部材２２を回転させる際の滑り止めとして、複数のリブ２２ｅが等間隔に設けられている。
【００６０】
また、ネジ付き外筒部２２ａの内周には、雄ネジ部２１ｄに螺合される雌ネジ部２２ｄが設けられ、外周には環状突起部２２ｆが一体に突設形成されている。
【００６１】
図７に示すように、ネジ付きソケット２１に連結部材２２が螺合されると、段差部２１ｃと握持リング部２２ｃとの間に下スラブ３ｂが上下両側から狭持される。
【００６２】
図５に示すように、回転接続部材２４は、上部に包囲壁２６と、下部に接続部２７とを有して一体形成されている。
【００６３】
包囲壁２６はネジ付き外筒部２２ａの周囲を包囲し、接続部２７の外周面にはエルボ継手１１が接続される。
【００６４】
また、包囲壁２６の上端縁には対向環状フランジ部２５が一体形成されている。
【００６５】
この対向環状フランジ部２５は、連結部材２２に回転接続部材２４を装着した際に、環状拡径フランジ部２２ｂに対向した状態になる。
【００６６】
対向環状フランジ部２５には、外周縁に鉛直上向きに伸びる環状当接部２５ａが設けられている。この環状当接部２５ａは環状拡径フランジ部２２ｂの外周縁の下側面と当接する。
【００６７】
更に、止水リング部材２３ａの装着位置を位置決めする位置決めリブ２５ｂが、対向環状フランジ部２５の上面に突出して一体形成されている。
【００６８】
包囲壁２６は、対向した１対の平面壁２６ａ，２６ａと、対向した１対の湾曲壁２６ｂ，２６ｂとによって構成され、包囲壁２６の横断面形状はトラック形状を呈している。
【００６９】
包囲壁２６の内側には、平面壁２６ａの上部に係合爪部２６ｃが設けられ、湾曲壁２６ｂの上部に係合爪部２６ｄが設けられている。
【００７０】
連結部材２２に回転接続部材２４を装着した際に、これら２対の係合爪部２６ｃ，２６ｃと係合爪部２６ｄ，２６ｄとが環状突起部２２ｃの上側に係合して係止されるため、回転接続部材２４は連結部材２２に対して回動可能に支承される。
【００７１】
また、接続部２７の外周壁は、対向した１対の平面壁２７ａ，２７ａと、対向した１対の湾曲壁２７ｂ，２７ｂとによって構成され、接続部２７の外周壁の横断面形状は略トラック形状を呈している。
【００７２】
また、図５に示すように、湾曲壁２７ｂの中央位置に、管路方向に長い溝部２７ｃが設けられ、対向する湾曲壁２７ｂの中央位置にも溝部２７ｃが設けられている。この溝部２７ｃは樋等に設けられた溝部と嵌合する。
【００７３】
更に、包囲壁２６と接続部２７との間には隔壁２８が設けられ、隔壁２８の中央位置には穴２８ａが設けられている。
【００７４】
図７に示すように、穴２８ａの内径は、対向する平面壁２７ａと平面壁２７ａとの内側面の間隔と同程度の長さである。
【００７５】
また、穴２８ａの内径は、ネジ付き外筒部２２ａの内径とも同程度の長さであって、連結部材２２に回転接続部材２４を装着した際に、ネジ付き外筒部２２ａの下端縁と隔壁２８の上面との隙間が僅かな距離になるように構成されている。
〈樋接続部材２０とエルボ継手１１との接続方法〉
図８は樋接続部材２０とエルボ継手１１とを接続する手順を表すベランダ躯体の縦断側面図である。
【００７６】
まず、呼び樋１２の一端の嵌合部分に予め接着剤を塗布した後、呼び樋１２の一端をエルボ継手１１の一端に嵌合して接続する。
【００７７】
次に、縦樋１４が接続されたエルボ継手１３の嵌合部分に接着剤を塗布し、呼び樋１２のエルボ継手１１が接続されていない一端を嵌合して接続する。（矢印Ａ１）
そして、エルボ継手１１の接続口の向きに合わせて接続部２７を回転させて、概ね位置合わせをした後に、接続部２７の嵌合部分にシール性を有する接着剤を塗布し、接続部２７にエルボ継手１１の接続口を嵌合して接続する。（矢印Ａ２）
〈樋接続部材２０の着脱方法〉
図９は樋接続部材２０を取り外す手順を表すベランダ躯体の縦断側面図である。
【００７８】
例えば、樋接続部材２０やエルボ継手１１の内部に木の葉などのゴミが詰まって排水性が低下した際に、内部のゴミを取り除くなどのメンテナンスが必要になる。
【００７９】
このようなメンテナンスの際に、握持リング部２２ｃを掴んで、連結部材２２をネジ付きソケット２１に対して弛める向き（矢印Ａ３の向き）に回転させて、連結部材２２と共に回転接続部材２４をエルボ継手１１や呼び樋１２を接続したまま、ネジ付きソケット２１から取り外す（矢印Ａ４）。
【００８０】
この際、呼び樋１２や竪樋１４等の撓みによって、樋接続部材２０の内部を掃除するのに十分な隙間が下スラブ３ｂと樋接続部材２０との間に生じるので、この隙間から樋接続部材２０の内部に手を入れて掃除を行う。
【００８１】
掃除等のメンテナンスの終了後には、取り外しと逆の順序で、エルボ継手１１と回転接続部材２４と共に連結部材２２をネジ付きソケット２１の下部に差し込み、握持リング部２２ｃを掴んで、連結部材２２をネジ付きソケット２１に対して締め付ける向き（矢印Ａ３と逆向き）に回転させて締め付ける。
〈作用効果〉
このように構成された樋接続部材２０では、図４に示すように呼び樋１２を竪樋１４に接続する際に、呼び樋１２の配管方向に合わせて回転接続部材１７を回転させて、回転接続部材１７の向きを所望の向きに調整することが可能であり、呼び樋１２の位置決めを容易に行うことができる。
【００８２】
また、止水リング部材２３ａが環状拡径フランジ部２２ｂと対向環状フランジ部２５との隙間に設けられているので、排水される雨水の量が所定量より多い際に、環状拡径フランジ部２２ｂと対向環状フランジ部２５との隙間から雨水が漏水するのを防ぐことができる。
【００８３】
更に、握持リング部２２ｃを有しているので、ネジ付きソケット２１に連結部材２２を螺合によって着脱する際に、連結部材２２を回転させ易く、施工性がよい。
【００８４】
しかも、樋接続部材２０の装着時には、筒状接続部２１ａと握持リング部２２ｃとの間で下スラブ３ｂを挟持して強力に挟着できるので、樋接続部材２０が下スラブ３ｂに安定に装着される。
【００８５】
そして、エルボ継手１１と接続部２７とを接続する際にシール性を有する接着剤によって接着するので、排水される雨水の量が所定量より多い際に、エルボ継手１１と接続部２７との隙間から雨水が漏水するのを防ぐことができる。
【００８６】
また、エルボ継手１１と接続部２７とが接着剤によって接続されているので、エルボ継手１１を接続部２７から取り外すのは一般に困難であるが、握持リング部２２ｃを掴んで連結部材２２をネジ付きソケット２１に対して弛めるように回転させることで、ネジ付きソケット２１から連結部材２２及び回転接続部材２４を取り外すことができる。
【００８７】
しかも、取り外しと逆の順序で、エルボ継手１１と回転接続部材２４と共に連結部材２２をネジ付きソケット２１の下部に差し込み、握持リング部２２ｃを掴んで、連結部材２２をネジ付きソケット２１に対して締め付ける向きに回転させることで、ネジ付きソケット２１に連結部材２２及び回転接続部材２４を取り付けることができる。
【００８８】
このため、樋接続部材２０やエルボ継手１１に詰まったゴミを掃除するなどのメンテナンスの際に、連結部材２２及び回転接続部材２４と共にエルボ継手１１を容易に着脱することができる。
【００８９】
更に、図７に示すように、環状当接部２５ａは環状拡径フランジ部２２ｂの外周縁の下側面と当接しているので、環状拡径フランジ部２２ｂと対向環状フランジ部２５との隙間から雨水が漏水しにくい。
【００９０】
また、連結部材２２に回転接続部材２４を装着した際に、ネジ付き外筒部２２ａの下端縁と隔壁２８の上面との隙間が僅かな距離になるように構成されているため、停留した雨水が連結部材２２と回転接続部材２４との隙間に入りにくい。
【００９１】
なお、図５に示す止水リング部材２３ｂは、止水リング部材２３ａとは別形状の例であり、実際には、止水リング部材２３ａと止水リング部材２３ｂとの内、何れか一方が用いられる。
【００９２】
以上、図面を参照して、本発明の実施の形態及び実施例を詳述してきたが、具体的な構成は、この実施の形態に限らず、本発明の要旨を逸脱しない程度の設計的変更は、本発明に含まれるものである。
【００９３】
なお、本発明の実施例では、樋接続部材２０が、ベランダ２の下スラブ３ｂに用いられているが、必ずしもベランダのスラブに用いられる必要はなく、例えば、建物の軒天井板に用いられてもよい。
【００９４】
そして、本発明の実施例では、接続部２７に、エルボ継手１１が接続されているが、必ずしもエルボ継手である必要はなく、他の継手であってもよいし、直接に樋が接続されていてもよい。
【００９５】
また、本発明の実施例で示したエルボ継手１１、呼び樋１２、エルボ継手１３等の取付けの順序は、施工が可能であれば、必ずしもこの順には限らない。
【図面の簡単な説明】
【００９６】
【図１】図１は、従来例の樋接続部材を説明するベランダ躯体の縦断側面図であって、排水管と呼び樋の間を樋接続部材とエルボ継手とによって接続した状態を表した図である。
【図２】図２は、従来例の樋接続部材を説明するベランダ躯体の縦断側面図であって、樋接続部材については、樋接続部材を上下方向に分解した分解側面図である。
【図３】図３は、従来例の樋接続部材の縦断面図であって、下スラブに装着した状態の図である。雨水が漏水する様子を表している。
【図４】図４は、実施例の樋接続部材を説明するベランダ躯体の縦断側面図であって、排水管と呼び樋の間を樋接続部材とエルボ継手とによって接続した状態を表した図である。
【図５】図５は、実施例の樋接続部材を説明する分解斜視図である。
【図６】図６は、実施例の樋接続部材の縦断面図であって、下スラブに装着した状態の図５のＡ−Ａ断面図である。
【図７】図７は、実施例の樋接続部材の縦断面図であって、下スラブに装着した状態の図５のＢ−Ｂ断面図である。排水管とエルボ継手と呼び樋とが接続された状態の図である。
【図８】図８は、実施例の樋接続部材を説明するベランダ躯体の縦断側面図であって、呼び樋が接続されたエルボ継手を樋接続部材に接続する手順を説明する図である。
【図９】図９は、実施例の樋接続部材を説明するベランダ躯体の縦断側面図であって、樋接続部材を取り外す手順を表した図である。
【符号の説明】
【００９７】
３ｂ            下スラブ（軒天井板）
８              排水管（上流側の竪樋）
９              穴
１１            エルボ継手（継手）
１２            呼び樋（下流側の樋）
２０            樋接続部材
２１            ネジ付きソケット（樋接続上部材）
２１ａ          筒状接続部
２１ｂ          ネジ付き円筒部
２１ｄ          雄ネジ部
２２            連結部材
２２ａ          ネジ付き外筒部
２２ｂ          環状拡径フランジ部
２２ｃ          握持リング部（環状握持部）
２２ｄ          雌ネジ部
２３ａ，２３ｂ  止水リング部材（止水用シール部材）
２４            回転接続部材（樋接続下部材）
２５            対向環状フランジ部
２６            包囲壁
２７            接続部
【図１】
0004719018.tif 000002
【図２】
0004719018.tif 000003
【図３】
0004719018.tif 000004
【図４】
0004719018.tif 000005
【図５】
0004719018.tif 000006
【図６】
0004719018.tif 000007
【図７】
0004719018.tif 000008
【図８】
0004719018.tif 000009
【図９】
0004719018.tif 000010